(57)【要約】【課題】本発明は、低コスト、コンパクトで安定した光学性能を実現可能な光源装置を提供する。【解決手段】光源装置９０は、搭載平面方向に光ビームを照射する発光部材１０２が搭載される金属製のフレーム部材１０１と、発光部材が搭載された搭載面１０１ａにおいて発光部材が位置する発光領域部１０１Ｅ１と発光部材が位置しない支持領域部１０１Ｅ２とにフレーム部材１０１を区分する樹脂製の区分部材１０３とが一体化された光源１００と、支持領域部を搭載面１０１ａ側とその反対面１０１ｂ側から挟み込むことで保持する保持手段２００を有し、発光領域部１０１Ｅ１において反対面１０１ｂに当接する接触部２０８を保持手段２００に設けた。【選択図】図４
2011104858.tif 000002
【特許請求の範囲】
【請求項１】
搭載平面方向に光ビームを照射する発光部材が搭載される金属製のフレーム部材と、前記発光部材が搭載された搭載面において前記発光部材が位置する発光領域部と前記発光部材が位置しない支持領域部とに前記フレーム部材を区分する樹脂製の区分部材とを備え、前記フレーム部材と前記区分部材とが一体化された光源と、
前記支持領域部を前記搭載面側とその反対面側から挟み込むことで保持する保持手段とを有し、
前記発光領域部において前記反対面に当接する接触部を前記保持手段が備えていることを特徴とする光源装置
【請求項２】
請求項１記載の光源装置において、
前記保持手段は、前記フレーム部材を保持するとともに、前記支持領域部において前記搭載面に接触する当接部位が形成された光源保持部材と、
前記光源保持部材を覆うように同光源保持部材に装着されていて、前記支持領域部において前記反対面を前記当接部位に向かって押圧するように弾性変形可能なアーム部を備えた押圧部材を有し、
前記接触部は前記押圧部材に形成れていることを特徴とする光源装置。
【請求項３】
請求項１または２記載の光源装置において、
前記光源保持部材または前記押圧部材の少なくとも一方が金属製であることを特徴とする光源装置。
【請求項４】
請求項１ないし３の何れか１つに記載の光源装置において、
前記光源保持部材は、前記搭載面に垂直かつ光軸進行方向に向かって平行に延びる取付面を有し、
前記光源から照射される光束を調整する光学素子の外周部の一部が前記取付面に固着されて配設されていることを特徴とする光源装置。
【請求項５】
請求項１ないし４の何れか１つに記載の光源装置を備えたことを特徴とする光走査装置。
【請求項６】
請求項１ないし４の何れか１つに記載の光源装置を備えたことを特徴とする画像形成装置。
【請求項７】
請求項５記載の光走査装置を備えたことを特徴とする画像形成装置。
【発明の詳細な説明】
【技術分野】
【０００１】
本発明は、光源装置と光走査装置およびこれらを用いたデジタル複写機、レーザプリンタ、レーザファクシミリ等の画像形成装置に関する。
【背景技術】
【０００２】
電子写真方式のレーザプリンタ等の画像形成装置で用いられる光走査装置は、一般に、光源側からの光ビームを光偏向器により偏向させ、ｆθレンズ等の走査結像光学系により被走査面に向けて集光して被走査面上に光スポットを形成し、この光スポットで被走査面を光走査（主走査）するように構成されている。
【０００３】
画像形成装置においてフルカラー画像を形成する構成の一例として、４つのドラム状の感光体を用紙などの記録部材の搬送方向に配列したものがある。このような画像形成装置では、各感光体に対応した複数の光源装置から放射された光ビームの光束を、１つの偏向手段により偏向走査し、各感光体に対応する複数の走査結像光学系により各感光体に同時に露光して潜像をつくり、これらの潜像をイエロー（Ｙ）、マゼンタ（Ｍ）、シアン（Ｃ）、ブラック（Ｋ）などの各々異なる色の現像剤を使用する現像装置で可視像化したのち、これらの可視像を同一の記録部材に順次重ね合わせて転写し定着することで、カラー画像を得られるように構成されているものがある。このように、光走査装置と感光体の組み合わせを２組以上用いて、２色画像や多色画像、カラー画像等を得るようにした画像形成装置はタンデム式の画像形成装置として既に知られている。
【０００４】
タンデム式の画像形成装置には、複数の感光体がポリゴンミラーなどの１つの光偏向器を共用する方式のものが知られている。例えば特許文献１には、略平行でかつ副走査方向に離れた複数の光束を１つの光偏向器に入射し、複数の光束に対応する複数の走査光学素子を副走査方向に並べて走査するものがある。このように、複数の被走査面で光偏向器を共用すると、光偏向器の数が減少できて、光走査装置や画像形成装置をコンパクト化することが可能になる。
【０００５】
特許文献２には、光源と光源保持部材と光源保持部材を固定する基材とがネジなどの締結部材によって締結して一体化した構成が記載されている。
【発明の概要】
【発明が解決しようとする課題】
【０００６】
特許文献１の構成では、シアン、マゼンタ、イエロー、ブラックの４つの異なる被走査面（感光体）を持つフルカラー対応の画像形成装置の光走査装置として光偏向器の数を減らすことは可能だが、副走査方向に複数の感光体に向かう光ビームを略平行に並べて光偏向器に入射させるため、光偏向器が副走査方向に大型化するという課題がある。一般的に、光走査装置が備えている光学系で、光偏向器となるポリゴンミラー部のコストは高く、装置全体の低コスト化、及び小型化を狙う場合においては、その弊害と成り易い。  
特許文献２の構成では、一体化のためにネジやネジ穴が必要となり、コンパクトな構成とするには部品点数が多く、組付け工程が煩雑となりネジの締結力の差からばらつきが生じる可能性が高く光学性能のばらつきの発生やコストアップと成り易い。
【０００７】
また、光源装置は光源から光ビームが照射されると発熱し、発熱による温度上昇が光源の電気特性への影響となるので熱対策も重要な課題である。
【０００８】
本発明は、低コスト、コンパクトで安定した光学性能を実現可能な光源装置及び光走査装置を提供することを目的とする。
【０００９】
本発明は、低コストで安定した画像品質を実現可能な画像形成装置の提供することを、目的とする。
【課題を解決するための手段】
【００１０】
本発明に係る光源装置は、搭載平面方向に光ビームを照射する発光部材が搭載される金属製のフレーム部材と、発光部材が搭載された搭載面において発光部材が位置する発光領域部と発光部材が位置しない支持領域部とにフレーム部材を区分する樹脂製の区分部材とを備え、フレーム部材と区分部材とが一体化された光源と、支持領域部を搭載面側とその反対面側から挟み込むことで保持する保持手段とを有し、発光領域部において反対面に当接する接触部を保持手段が備えていることを特徴としている。
【００１１】
本発明に係る光源装置において、保持手段は、フレーム部材を保持するとともに、支持領域部において搭載面に接触する当接部位が形成された光源保持部材と、光源保持部材を覆うように同光源保持部材に装着されていて、支持領域部において反対面を当接部位に向かって押圧するように弾性変形可能なアーム部を備えた押圧部材を有し、接触部は押圧部材に形成れていることを特徴としている。
【００１２】
本発明に係る光源装置において、光源保持部材または押圧部材の少なくとも一方が金属製であることを特徴としている。
【００１３】
本発明に係る光源装置において、光源保持部材は、搭載面に垂直かつ光軸進行方向に向かって平行に延びる取付面を有し、光源から照射される光束を調整する光学素子の外周部の一部が取付面に固着されて配設されていることを特徴としている。
【００１４】
本発明に係る画像形成装置と光走査装置は上記何れかの光源装置を備えたことを特徴としている。
【００１５】
本発明に係る画像形成装置は、上記光源装置を備えた光走査装置を備えていることを特徴としている。
【発明の効果】
【００１６】
本発明によれば、光ビームを照射する発光部材が搭載される金属製のフレーム部材と、発光部材が搭載された搭載面において発光部材が位置する発光領域部と発光部材が位置しない支持領域部とにフレーム部材を区分する樹脂製の区分部材とが一体化された光源を、支持領域部において、搭載面側とその反対面側から保持手段で挟み込むことで保持するので、従来のようにネジなどの締結部材を用いなくても一体化でき、部品点数が少なく、組付け工程が容易となる。このため、低コストでコンパクトな光源装置と光走査装置となる。また、ネジの締結力のばらつきも発生しないので、光学性能のばらつきも低減し、安定した光学性能（光ビーム品質）を得ることができる。
【００１７】
さらに、フレーム部材の発光領域部において反対面に当接する接触部を保持手段が備えているので、金属製のフレーム部材に搭載された発光部材が発熱しても、その熱がフレーム部材から接触部に伝わって放熱されるので、温度上昇が光源の電気特性への影響が少なくなり、安定した光学性能を得ることができる。
【００１８】
本発明によれば、放熱性に優れ、安定した光学性能が得られる光源装置に対して、光源部材から照射される光束を調整する光学素子の一部を一体的に保持したたで、より安定した光学性能（光ビーム品質）を得ることができる。
【００１９】
本発明によれば、放熱性に優れ、安定した光学性能が得られる光源装置や光走査装置を有するので、低コストで安定した画像品質を得ることができる。
【図面の簡単な説明】
【００２０】
【図１】本発明に係る光源装置と光走査装置を備えた画像形成装置の一形態を示す概略構成図である。
【図２】本発明にかかる光源装置を備えた光走査装置の概略構成を示す平面図である。
【図３】本発明に係る光源装置が備えた光源を発光部材から見た斜視図である。
【図４】本発明に係る光源装置の構成を示す斜視図である。
【図５】図４に示す光源装置を下側から見たときの斜視図である。
【図６】図４に示す光源装置の側面図である。
【図７】図４に示す光源装置を光軸進行方向側から見た図である。
【図８】光学素子を一体化した光源装置の構成を示す斜視図である。
【発明を実施するための形態】
【００２１】
以下、本発明に係る実施の形態について図面を用いて説明する。まず画像形成装置の全体構成について説明し、その後に光源装置と光走査装置の構成について説明する。図１に示す画像形成装置は、タンデム型のフルカラーレーザプリンタである。画像形成装置としては、レーザプリンタに限定されるものではなく、複写機やファクシミリやこれらの複合機であってもよい。
（画像形成装置の構成）
図１に示す画像形成装置１は、装置本体１Ａ内に光走査装置９が配設され、最下部に転写部材となる転写紙Ｓを積載された給紙トレイ１３が配設されている。給紙トレイ１３内の転写紙Ｓは、給紙部材となる給紙ローラ１４と分離ローラ１５によって１枚ずつ給紙される。
【００２２】
給紙トレイ１３の上方には、給紙カセット１３から給紙される転写紙Ｓを搬送する搬送部材となる搬送ベルト１７が配設されている。搬送ベルト１７はローラ１８，１９の間に巻き掛けられて水平方向に配設されていて、何れかのローラが図示しない駆動モータで回転駆動されることで図中反時計周りに回転する。搬送ベルト１７の上方には、イエローＹ、マゼンタＭ、シアンＣ、ブラックＫに対応する像担持体となるドラム状の感光体７Ｙ，感光体７Ｍ，感光体７Ｃ，感光体７Ｋが、転写紙Ｓの搬送方向上流側から順に等間隔で配設されている。以後、イエローＹ、マゼンタＭ、シアンＣ、ブラックＫに対応する部材には、数字の符号に添字するＹ，Ｍ，Ｃ，Ｋを適宜付けて区別するものとする。これらの感光体７Ｙ，７Ｍ，７Ｃ，７Ｋは全て同一径に形成されたもので、その周囲には、電子写真プロセスにしたがって各プロセスを実行するプロセス部材が順に配設されている。
【００２３】
感光体３Ｙを例にすると、プロセス部材は、帯電チャージャ８Ｙ、光走査装置９に装備されている光走査光学系６Ｙ、現像装置１０Ｙ、転写チャージ１１Ｙ、クリーニング装置１２Ｙ等が感光体３Ｙの周囲に順番に配設されている。他の感光体７Ｍ，７Ｃ，７Ｋに対しても同様の順序で、各色に対応するプロセス部材がそれぞれ配設されている。各色の転写チャージは、搬送ベルト１７を介して各感光体と対向配置されている。これらプロセス部材のうち、各色の帯電チャージャと現像装置とクリーニング装置は、各色の感光体とそれぞれ一体化されてプロセスユニットとして構成されている。
【００２４】
本形態では、感光体７Ｙ，７Ｍ，７Ｃ，７Ｋの表面を色毎に設定された被走査面ないしは被照射面とするものであり、各々の感光体に対して光走査装置９の光走査光学系６Ｙ，６Ｍ，６Ｃ，６Ｋが１対１の対応関係で配設けられている。
【００２５】
搬送ベルト１７の周囲には、４つの感光体の中で最上流に位置する感光体７Ｙよりもさらに上流側に位置させてレジストローラ１６と、転写体帯電手段となるベルト帯電チャージャ２０が配置されている。４つの感光体の中で最下流に位置する感光体７Ｋよりも搬送ベルト１７の回転方向下流側には、分離手段となるベルト分離チャージャ２１と搬送ベルト１７を除電するベルト除電チャージャ２２と、搬送ベルト１７の表面を清掃するクリーニング装置２３等が順に配置されている。
【００２６】
ベルト分離チャージャ２１よりも転写紙搬送方向下流側には転写紙Ｓに転写されたトナー像を熱と圧力で定着する定着装置２４が配置されている。装置本体１Ａの上面には、排紙部となる排紙トレイ２６が配設されているとともに、定着装置２４を通過した記録紙Ｐを排紙トレイ２６に向かって排出する排紙ローラ対２５が配設されている。
【００２７】
このような構成の画像形成装置１において、例えば、フルカラーモード（複数色モード）時であれば、感光体７Ｙ，７Ｍ，７Ｃ，７Ｋに対してＹ，Ｍ，Ｃ，Ｋ用の各色の画像信号に基づき各々の光走査光学系６Ｙ，６Ｍ，６Ｃ，６Ｋによる光ビームの光走査で、各感光体表面に、各色信号に対応した静電潜像が形成される。
【００２８】
これら静電潜像は、各々の対応する現像装置が備える色トナーで現像されてトナー像となり、搬送ベルト１７上に静電的に吸着されて搬送される転写紙Ｓ上に順次転写されることにより重ね合わせられることで、転写紙Ｓ上にフルカラー画像を形成する。このフルカラー像は定着装置２４で転写紙Ｓに定着された後、排紙ローラ２５により排紙トレイ２６へと排紙される。
（光走査装置）
図２は、光走査装置９の概略構成を示すもので、光源装置１００から被走査面に至る光学系を主走査対応方向から見た状態を示している。図２において、光走査装置９は、光源装置９０と、光源装置９０の光源１００から照射される光束を調整する光学素子となるカップリングレンズ９１と、アパーチュア９２と、シリンダレンズ９３を光源側に備えているとともに、図１に示す光走査光学系６Ｙ，６Ｍ，６Ｃ，６Ｋを備えている。
【００２９】
光源装置９０の光源１００から照射される発散性の光束は、カップリングレンズ９１により以後の光学系にカップリングされる。カップリング後の光束は、平行光束となることもできるし、弱い発散性もしくは弱い集束性の光束となってもよい。カップリングされた光束は、アパーチュア９２を通過することにより光束周辺部を遮光により除去され、所謂、ビーム整形される。
【００３０】
ビーム整形された光束は、副走査対応方向（図２を示す紙面内で、光源装置９０からの光束の主光線に直交する方向）にのみ正のパワーを持つシリンダレンズ９３を透過し、同レンズ９３の作用により副走査対応方向に集光しつつ、光源装置９０側からの光束として、光偏向器であるポリゴンミラー９４の偏向反射面に入射し、偏向反射面の近傍に主走査対応方向（図面に直交する方向）に長い線像として結像する。
【００３１】
ポリゴンミラー９４の偏向反射面により反射された光束は、ｆθレンズ９５およびトロイダルレンズ９６等の走査結像光学系６Ｙ，６Ｍ，６Ｃ，６Ｋに入射し、これら走査結像光学系の作用により被走査面１１４上に光スポットとして集光する。反射光束は、ポリゴンミラー９４の等速回転に伴い等角速度的に偏向し、光スポットは被走査面となる各感光体７Ｙ〜７Ｋの表面を光走査する。
（光源装置）
図３から図９を用いて光走査装置９に用いられる光源装置９０について説明する。光源装置９０は、図４、図５に示すように、光源１００と保持手段２００を備えている。光源１００は、図３に示すように、搭載平面方向に光ビームを照射する発光部材１０２が搭載される金属製の板材で構成されたフレーム部材１０１と、発光部材１０２が搭載された搭載面１０１ａにおいて発光部材１０２が位置する発光領域部１０１Ｅ１と発光部材１０２が位置しない支持領域部１０１Ｅ２とにフレーム部材１０１を区分する樹脂製の区分部材１０３とを備えている。発光部材１０２は１つ以上の発光部を有する。フレーム部材１０１と区分部材１０３とは一体成型されて一体化されている。このようなフレーム部材１０と発光部材１０２と区分部材１０３とを備えた光源１００を、一般にはフレームパッケージ型ＬＤアレイ（ＦＰ型ＬＤＡ）と称する。
【００３２】
本形態において、フレームパッケージ型ＬＤアレイである光源１００は、ネジなどの締結部材を用いることなく保持する保持手段２００を備えている。保持部材２００は、図３に示すフレーム部材１０１の両側に形成された支持領域部１０１Ｅ２、１０１Ｅ２を、搭載面１０１ａ側とその反対面１０１ｂ側から挟み込むことで保持するものである。これにより、発光部品１０２の搭載面１０１ａが保持の基準面となる。
【００３３】
保持手段２００は、図４，図５，図６に示すように、フレーム部材１０１を保持する光源保持部材２０１と、光源保持部材２０１とフレーム部材１０１を覆うように光源保持部材２０１と光源１００に着脱可能に装着される押圧部材２０２とを備えている。
【００３４】
光源保持部材２０１は金属製であって、図４，図５に示すように、その上面２０１ａに溝２０３が光軸進行方向Ａと直交する保持部材長手方向Ｂに延設されている。光源保持部材２０１の下面２０１ｂには、支持領域部１０１Ｅ２において搭載面１０１ａに接触する当接部位２０４が形成されている。このため、光源部材１０２から光が照射されて発熱しても、その熱はフレーム部材１０１の支持領域部１０１Ｅ２から光源保持部材２０１の当接部位２０４を介して放熱される。このため、光源保持部材２０１はヒートシンクとして機能し、フレーム部材１０１が冷却されて光源部材１０２の温度上昇が抑えられる。光源保持部材２０１の光軸進行方向Ａに位置する側面２０１ｃは、図７に示すように、光源領域部１０１Ｅ１と連通するように開口部２０５が形成されていて、光源部材１０２からの光の照射口を形成するとともに放熱口としても機能する。
【００３５】
押圧部材２０２は、樹脂製で断面が略コの字形状を成し、その上部２０２ａには溝部２０３に挿入可能な曲げ部２０６が形成されている。本形態において曲げ部２０６は押圧部材２０２の上部縁部に形成されているが上部縁部に形成しなくてもよい。
【００３６】
上部２０２ａと反対側に対する押圧部材２０２の下部２０２ｂには各支持領域部１０１Ｅ２においてフレーム部材１０１の反対面１０１ｂを当接部位２０３に向かって押圧するように弾性変形可能なアーム部２０７，２０７が形成されている。各アーム部２０７には、各支持領域部１０１Ｅ２に位置するフレーム部材の１０１の反対面１０１ｂに向かって突出する円弧状の突部２０７ａがそれぞれ形成されている。
【００３７】
押圧部材２０２は、コの字状の開口側から上部２０２ａと下部２０２ｂが光源保持部材２０１の上部２０１ａと下部２０１ｂを覆うように光源保持部材２０１に装着されると、曲げ部２０６が溝部２０３に挿入するとともに、アーム部２０７，２０７が各支持領域部１０１Ｅ２に位置するフレーム部材の１０１の反対面１０１ｂと対向して位置する。このとき各アーム部２０７の突起２０７ａが各支持領域部１０１Ｅ２の反対面１０１ｂによって押し下げられため、アーム部２０７がそれぞれ弾性変形、すなわち撓むことで押圧部材２０２が光源保持部材２０１に弾性的に保持される。
【００３８】
押圧部材２０２の下部２０２ｂには、図４〜図６に示すように、発光領域部１０１Ｅ１において、フレーム部材１０１の反対面１０１ｂに当接する放熱部２０８が形成されている。放熱部２０８は押圧部材２０２が光源保持部材２０１に装着されたときに、発光領域部１０１Ｅ内のフレーム部材１０１の反対面１０１ｂに圧接される。つまり、押圧部材２０２は、上部２０２ａとアーム部２０７及び放熱部２０８によって光源保持部材２０１とフレーム部材１０１を上下方向から弾性的に挟み込むことで、光源保持部材２０１と光源１００とを一体化する。
【００３９】
このため、従来のようにネジなどの締結部材を用いなくてもよく、部品点数が少なく、組付け工程が容易となり、低コストでコンパクトな光源装置１００と光走査装置９となる。また、ネジの締結力のばらつきも発生しないので、光学性能のばらつきも低減し、安定した光学性能（光ビーム品質）を得られる光源装置１００と光走査装置９となる。
【００４０】
上部２０２ａと下部２０２ｂとつなぐ押圧部材２０２の側部２０２ｃには、図７に示すように、光源保持部材２０１の開口部２０５と連通するように、開口部２０９が形成されている。
【００４１】
このように、光源保持部材２０１と押圧部材２０２とに、光源領域部１０１Ｅ１と連通する開口部２０５と開口部２０９を形成したので、光源部材１０２からの光の照射口を形成するとともに放熱口としても機能するので、光源部材１０２からの熱を外部に逃がすことができる。このため、組立性とコンパクト化を図りながらも放熱性に優れ、良好な光学性能、すなわち光ビームを照射する光源装置９０及び光走査装置９となる。
【００４２】
図８は、図２で説明した光学素子となるカップリングレンズ９１を光源装置に一体化してものである。図８に示す光源装置９０Ａは、基本的には図４〜図７に示した光源装置９０と同一構成を採るので、同一機能をする部材には同一符号を付し、詳細な説明は省略する。
【００４３】
図８において、光源装置９０Ａは、光源保持部材２０１にカップリングレンズ９１の取付部２２０を一体的に形成したものである。取付部２２０は、光源保持部材２０１の側面２０１ｄから光軸進行方向ａに向かって平行に延びていて、フレーム部材１０１の搭載面１０１ａに垂直かつ光軸進行方向Ａに向かって平行に延びる取付面２２０ａが形成されている。この取付面２２０ａには、カップリングレンズ９１の外周部９１ａの一部が接着剤などで固着されて配設されている。カップリングレンズ９１は所望の光束径が得られるように光軸進行方向Ａにその位置が調整されるとともに発光部材１０２から照射される光軸と一致するように光軸進行方向Ａに垂直な平面内での位置調整を行われて、取付面２２０ａに固着される。
【００４４】
このように、放熱性に優れ、良好な光ビームを照射する光源装置９０Ａの取付面２２０ａに対して、光束を調整するカップリングレンズ９１を一体的に保持することで、放熱性に優れかつ安定で良好な光ビーム品質を得ることが可能な光源装置９０Ａと光走査装置９の提供が可能となるとともに、ユニット単位での交換が可能となる。
【００４５】
画像形成装置１が上述の光源装置９０，９０Ａを光走査装置９に適用することで、軽量かつコンパクト化、低コスト化に適した光走査装置の構成が得られ、組み付け誤差、加工誤差の影響によるビーム品質の低下を低減し、光偏向器の発熱による画像品角劣化を抑えた、良好で安定した画像品質を得られる画像形成装置１となる。
【００４６】
低コスト化、小型化に適した斜め入射方式の光走査装置９において、組み付け誤差、加工誤差の影響による光ビームの副走査方向の角度変化が低減するので、走査線曲がりと波面収差の劣化を低減し、良好で安定した画像品質を得ることができる。
【００４７】
さらに、光源１００を、例えば、複数の発光点を有する半導体レーザアレイや、単数の発光点もしくは複数の発光点を有する光源を複数用いたマルチビーム光源装置とし、複数の光ビームを感光体表面に同時に走査するように構成することにより、高速化、高密度化を図った光走査装置および画像形成装置を構成することが可能となる。
【符号の説明】
【００４８】
１            画像形成装置
９            光走査装置
９０，９０Ａ  光源装置
９１          光学素子
９１ａ        外周部
１００        光源
１０１        フレーム部材
１０１ａ      搭載面
１０１ｂ      反対面
１０１Ｅ１    発光領域部
１０１Ｅ２    支持領域部
１０２        発光部材
１０３        区分部材
２００        保持手段
２０１        光源保持部材
２０２        押圧部材
２０４        当接部位
２０７        アーム部
２０８        接触部
２２０ａ      取付面
Ａ            光軸進行方向
【先行技術文献】
【特許文献】
【００４９】
【特許文献１】特開平９−５４２６３号公報
【特許文献２】特開２００９−３８０５１号公報
【図１】
2011104858.tif 000003
【図２】
2011104858.tif 000004
【図３】
2011104858.tif 000005
【図４】
2011104858.tif 000006
【図５】
2011104858.tif 000007
【図６】
2011104858.tif 000008
【図７】
2011104858.tif 000009
【図８】
2011104858.tif 000010